(57)【要約】【課題】  生体植物に繊細かつ装飾性に優れた図柄を施し、施された図柄が長期に亘って維持されると共に、メンテナンスコストが低く意匠性の高められた加飾付観賞用植物を提供する。【解決手段】  加飾付観賞用植物に、生体植物１１と、生体植物１１における葉１３の適宜位置に密着され、シルク印刷によって所定の図柄に形成されたインク層１４、インク層１４を保持すると共に少なくともインク層１４の表面を覆い透明な薄膜からなる表面層１５とを有した加飾層１２とを具備させる。【選択図】        図１
0003109958.tif 000002
【実用新案登録請求の範囲】
【請求項１】
台紙の表面に形成された水溶性の剥離層と、該剥離層の表面に、溶出しても生体植物に無害な素材からなり、シルク印刷によって所定の図柄に形成されたインク層、該インク層を保持すると共に少なくとも該インク層の表面を覆い溶出しても前記生体植物に無害で透明な薄膜からなる表面層を有した加飾層とからなる転写紙を、水に付けて前記剥離層を溶解させて前記台紙と前記加飾層とに分離させ、前記生体植物の適宜位置に、前記加飾層を配置すると共に、前記生体植物と前記加飾層との間の空気と水分とを除去し、前記生体植物と前記加飾層とを密着させた上で、前記加飾層を乾燥させたものであることを特徴とする加飾付観賞用植物。
【請求項２】
少なくとも前記生体植物の前記加飾層が密着された部位の表面に該加飾層の表面と共に、前記生体植物に無害な成分からなるワックスを用いたワックス処理が施されていることを特徴とする請求項１に記載の加飾付観賞用植物。
【請求項３】
前記生体植物は、ガガイモ科ホヤ属ホヤ・カーリー（和名：シャムサクララン）における外形形状がハート形をした葉の挿し木であって、該葉の表面に前記加飾層が密着されていることを特徴とする請求項１又は請求項２に記載の加飾付観賞用植物。
【考案の詳細な説明】
【技術分野】
【０００１】
本考案は、加飾付観賞用植物に関するものであり、特に、生体植物に所定の図柄を有した加飾層を密着させることで、意匠性に優れた加飾付観賞用植物に関するものである。
【背景技術】
【０００２】
従来より、観賞用植物は、その植物自体の、花、葉、外観（例えば、樹形）などを観て楽しむようなものであり、種々の植物が知られている。それら観賞用植物を室内などに置いて、観賞する場合、植物のみを観賞するだけでなく、室内などのディスプレイとしても用いられるように、例えば、種々の植物を一つ或いは複数の鉢にアレンジして植え込んだり（特許文献１）、所定の装飾などを施した植木鉢に植物を植えたり、植物に様々な色の光を当てることでライトアップ（特許文献２）したりして意匠性を高めた観賞植物が知られている。
【０００３】
なお、本願出願人は、本願出願時において、上記の技術情報が記載されている文献として、以下のものを知見している。
【特許文献１】登録実用新案第３０１１０５０号
【特許文献２】特開２００１−９５３７６号
【考案の開示】
【考案が解決しようとする課題】
【０００４】
しかしながら、従来の観賞用植物では、植物の植え込みの配置や、装飾された植木鉢などによりある程度意匠性を高めることができるものの、観賞用植物自体の意匠性を高めることはできず、例えば、贈答品やディスプレイとして用いるには、観賞用植物自体のインパクトが低く、見栄えの良いものとは言えなかった。
【０００５】
また、ライトアップにより意匠性を高めることができるものの場合、観賞用植物をライトアップするための電気が必要であり、ライトアップによるコストがかかると共に、観賞用植物の設置場所が限られるものとなっていた。また、観賞用植物の周りにライトアップのための電気が供給されているので、特に観賞用植物が生体植物の場合、観賞用植物に水を供給する際に、ライトアップの装置が水に浸かって漏電が発生する問題があった。
【０００６】
ところで、植物の葉や実の表面に、所定の外形形状をした遮光性のフィルムを貼り、日光などの光を所定時間照射した後に、フィルムを除去することで、フィルムを貼った部分とそれ以外の部分とで色を異ならせ、その色の違いにより植物の葉や実に図柄などを施して意匠性を高めることが考えられるが、この場合、フィルムの貼り付けおよび除去の他、色の違いが出るまでに相当な時間を要し、手間と時間のかかるものとなりコストが高くなる問題がある。また、色の違いは、実際には濃淡の違いであると共に、複雑な図柄や細かい図柄を施すことはできず、意匠性の高いものとは言えなかった。更に、時間の経過と共に、色の違いが小さくなり、施した図柄などが消えてしまう問題があった。
【０００７】
そこで、本考案は上記の実情に鑑み、生体植物に繊細かつ装飾性に優れた図柄を施し、施された図柄が長期に亘って維持されると共に、メンテナンスコストが低く意匠性の高められた加飾付観賞用植物の提供を課題とするものである。
【課題を解決するための手段】
【０００８】
上記の課題を解決するために、本考案に係る加飾付観賞植物は、「台紙の表面に形成された水溶性の剥離層と、該剥離層の表面に、溶出しても生体植物に無害な素材からなり、シルク印刷によって所定の図柄に形成されたインク層、該インク層を保持すると共に少なくとも該インク層の表面を覆い溶出しても前記生体植物に無害で透明な薄膜からなる表面層を有した加飾層とからなる転写紙を、水に付けて前記剥離層を溶解させて前記台紙と前記加飾層とに分離させ、前記生体植物の適宜位置に、前記加飾層を配置すると共に、前記生体植物と前記加飾層との間の空気と水分とを除去し、前記生体植物と前記加飾層とを密着させた上で、前記加飾層を乾燥させた」構成とするものである。
【０００９】
ここで、「生体植物」とは、文字通り生きた植物のことであり、実や種子、切り花、休眠状態のものも含まれる。また、「生体植物の適宜位置」としては、葉、花弁、枝、幹、根、実、種子、などが挙げられる。更に、「生体植物に無害」とは、アルコール類、人体に有害とされる金属類、有機溶剤、その他植物や人体に有害とされている物質、などを極力含んでいないことを言う。また、「図柄」とは、図や柄のことであり、文字、絵、図形、模様などが含まれる。
【００１０】
ところで、生体植物への加飾としては、インクを塗布した印鑑などを生体植物に押印したり、その他の方法で直接生体植物に印刷したりすることが考えられるが、生体植物の表面は一様な面ではない上に、同じ種類の植物であっても品質にバラツキがあり、押印や印刷などをした場合、印影などがかすれ易く繊細な図柄を加飾することは困難である。また、インクなどで直接加飾した場合、加飾部分のインクと生体植物との接触面積が少なく、加飾部分が剥がれ易くなる問題がある。更に、生体植物は品質のバラツキが大きいため、押印などにより直接加飾する場合、生産性を高めることが困難であると共に、多色刷りすることはできなかった。
【００１１】
本考案によると、生体植物の適宜位置に加飾層を密着させたもので、これにより、植物に所定の図柄が施されているので、植物自体の見栄えが向上すると共に、図柄を施すことでこれまでに無い観賞用植物とすることができ、観賞する者にインパクトを与えることが可能となり、例えば、贈答品やディスプレイに好適に用いることができる。また、電気などを必要としないので、メンテナンスコストを低く抑えることができると共に、漏電の心配がない。
【００１２】
また、加飾層の図柄をシルク印刷により形成しているので、繊細な図柄を表現することができると共に、多色刷りすることで、カラーの図柄も表現することができるので、より意匠性に優れたものとすることができる。また、図柄を構成するインク層を表面層で保持しているので、生体植物に加飾する際にインク層の位置関係がずれたりするのを防止することができ、繊細な図柄でも容易に加飾することができる。更に、インク層が表面層により保護されると共に、表面層を透明としインク層全体を覆うようにすることで加飾層と生体植物との接触面積を大きくして、図柄が剥がれ難くすることができ、長期に亘って加飾付観賞用植物を観賞することができる。
【００１３】
更に、加飾層を、生体植物との間の空気を除去することで密着させるようにしているので、有機溶剤など植物に有害なものを含んだ接着剤を用いなくても、植物に加飾することができ、観賞用植物を良好な状態で維持することができる。なお、植物に無害な接着剤を用いて加飾層を生体植物に貼り付けても良いが、接着剤は無い方が好ましい。
【００１４】
また、図柄が形成された加飾層を生体植物に密着させることで、加飾するようにしているので、生体植物の品質にバラツキがあっても容易に加飾することができ、生産性を高めることで、加飾によるコストの増加を可及的に抑制することができる。
【００１５】
なお、加飾層の表面層は、その外形がインク層の外形と略同じか、若干外側に延在する程度が望ましく、これにより、表面層を目立ち難くすることができる。
【００１６】
本考案に係る加飾付観賞用植物は、上記の構成に加えて、「少なくとも前記生体植物の前記加飾層が密着された部位の表面に該加飾層の表面と共に、前記生体植物に無害な成分からなるワックスを用いたワックス処理が施されている」構成とすることもできる。
【００１７】
本考案によると、少なくとも加飾層の表面と、その周囲の生体植物の表面とにワックス処理を施したもので、これにより、加飾層表面と生体植物の表面との艶具合が略同じとなり、加飾層における透明な表面層が見え難くなることで、生体植物にあたかもインク層のみが施されているように見せることができ、意匠性をより高めることができる。
【００１８】
本考案に係る加飾付観賞用植物は、上記の構成に加えて、「前記生体植物は、ガガイモ科ホヤ属ホヤ・カーリー（和名：シャムサクララン）における外形形状がハート形をした葉の挿し木であって、該葉の表面に前記加飾層が密着されている」構成とすることもできる。
【００１９】
本考案によると、外形形状がハート形をしたホヤ・カーリーの葉の挿し木の表面に加飾層を密着させたものである。これにより、縁起が良いと言われるハート形の葉に、図柄を加飾することで更に意匠性を高め、贈答品やディスプレイとして用いるのに好適なものとすることができる。特に、葉がハート形をしているので、結婚式などめでたい時のプレゼントとして好適であり、図柄として絵だけでなく、記念の言葉などの文字も添えて加飾することで贈答品としての価値をより高めることができる。
【００２０】
なお、上記した生体植物としてのガガイモ科ホヤ属ホヤ・カーリー（和名：シャムサクララン）の名称は、小学館発行の園芸植物大辞典２に記載されたものであり、書籍により解釈などが異なる場合があっても、上記植物に該当すると思われるものであれば、その植物も含まれるものである。また、ホヤ・カーリーの葉は、斑入りのものであっても良い。
【考案の効果】
【００２１】
上記のように、本考案によると、生体植物に繊細かつ装飾性に優れた図柄を施し、施された図柄が長期に亘って維持されると共に、メンテナンスコストが低く意匠性の高められた加飾付観賞用植物を提供することができる。
【考案を実施するための最良の形態】
【００２２】
以下、本考案を実施するための最良の形態について図１及び図２を基に説明する。図１は、本考案の加飾付観賞用植物の一例を示す斜視図であり、図２は、加飾工程を模式的に示す説明図である。本実施形態の加飾付観賞用植物は、生体植物の表面に所定の加飾層を密着させることで意匠性を高めたものである。
【００２３】
図１に示すように、本実施形態の加飾付観賞用植物１０は、生体植物１１と、生体植物１１の表面に密着され所定の図柄が形成された加飾層１２とを備えている。本例の生体植物１１は、ガガイモ科ホヤ属ホヤ・カーリー（和名：シャムサクララン）の葉１３の挿し木であり、葉１３のみを挿し木した葉挿し、茎の一部が付いた葉１３を挿し木した葉芽挿しの何れでも良い。本例では、葉１３の表面に、熊の絵の図柄が形成された加飾層１２と、文字の図柄が形成された加飾層１２とが密着されている。
【００２４】
加飾層１２は、所定の図柄に形成されたインク層１４と、インク層１４の表面を覆うように保持すると共に無色透明な薄膜からなる表面層１５とを備えている。インク層１４は、植物に無害な公知のインク素材より構成されており、その色は、葉１３の地色（緑色）に対して図柄が映えるような色とされている。本例では、インク層１４の顔料として、雲母金を用いている。また、表面層１５は、植物に無害な公知の素材からなり、図中その外形を破線で示すように、インク層１４の外形よりも若干大きい外形形状とされている。なお、加飾層１２は、陶器の絵付けに用いられる転写紙と略同等の厚さとすることが望ましく、これにより、生体植物１１に密着させる際の作業性が向上すると共に、インク層１４及び表面層１５が比較的厚くなることで、加飾層１２が剥がれ難くなる。なお、熊の図柄の加飾層１２と文字の図柄の加飾層１２とが別体のものを示したが、表面層１５により一体とされたものでも良い。
【００２５】
本例の加飾付観賞用植物１０は、生体植物１１の葉１３と加飾層１２との表面にワックス層１６を更に備えている（図２（ｅ）参照）。このワックス層１６は、カルナバワックスなどの植物性ワックスからなるものである。なお、植物に無害なものであれば、ワックスの種類は特に限定するものではなく、また、液体や固体、或いは、半練りタイプのワックスであっても良いが、液体ワックスを用いた方がワックス処理の際に、生体植物１１や加飾層１２を傷め難く好ましい。
【００２６】
なお、本例の加飾付観賞用植物１０は、図１に示すように、生体植物１１を栽培するための培地１７と、生体植物１１を培地１７と共に保持するための鉢１８とを更に備えている。培地１７としては、生体植物１１を栽培することのできるものであれば特に限定するものではなく、保水性に優れたものを用いることが望ましい。また、鉢１８は、生体植物１１を保持することができるものであれば良く、その形状等については特に限定するものではなく、適宜形状のものを用いることができる。更に、本例では、加飾層１２の図柄として熊や文字を示したが、その他の図柄としても良い。
【００２７】
次に、本実施形態の加飾付観賞用植物１０における生体植物１１への加飾について図２に基づいて詳細に説明する。なお、図２では、本考案の理解を助けるために、大きさや厚さ等の関係が誇張して示してある。本例の加飾付観賞用植物１０は、加飾層１２を有した転写紙１９を用いて生体植物１１に加飾したものである。この転写紙１９は、台紙２０と、台紙２０の表面に形成された水溶性の剥離層２１と、剥離層２１の表面に形成された加飾層とを備えている（同図（ａ）参照）。
【００２８】
この転写紙１９は、台紙２０の表面に、デキストリンなど公知の水溶性の剥離剤により剥離層２１が形成されており、その剥離層２１の表面にインク層１４をシルク印刷により形成し、更に、インク層１４の表面に表面層１５がシルク印刷により形成されているものである。
【００２９】
そして、この転写紙１９を用いて生体植物１１を加飾する場合、転写紙１９を水に付けて、水溶性の剥離層２１を溶解させて、台紙２０と、インク層１４及び表面層１５つまり加飾層１２とを分離させる（同図（ｂ）参照）。そして、加飾層１２が濡れた状態で、加飾層１２を生体植物１１の所定位置に配置すると共に、生体植物１１と加飾層１２との間の空気と水分とを除去し、加飾層１２を生体植物１１に密着させる（同図（ｃ）〜（ｄ）参照）。
【００３０】
その後、濡れた加飾層１２を乾燥させた後に、生体植物１１及び加飾層１２の表面にワックス処理（例えば、ワックスの塗布及び磨き）を行ってワックス層１６を形成する（同図（ｅ）参照）。これにより、生体植物１１への加飾が完了し、加飾された生体植物１１を所定の培地１７や鉢１８を用いて生体植物１１を保持することで加飾付観賞用植物１０が完成する。
【００３１】
このように、本実施形態の加飾付観賞用植物１０は、生体植物１１に所定の図柄が加飾されているので、生体植物１１自体の見栄えが向上すると共に、加飾することでこれまでに無い観賞用植物とすることができ、観賞する者にインパクトを与えることが可能となり、例えば、贈答品やディスプレイに好適に用いることができる。
【００３２】
また、加飾層１２の図柄をシルク印刷により形成しているので、繊細な図柄を表現することができ、押印などにより直接加飾する場合と比較して図柄のかすれなどがなく、より意匠性に優れたものとすることができる。また、図柄を構成するインク層１４を表面層１５で保持しているので、生体植物１１に加飾する際にインク層１４の位置関係がずれるのを防止することができる。更に、インク層１４が表面層１５により保護されると共に、表面層１５を透明としインク層１４全体を覆うようにしているので加飾層１２と生体植物１１との接触面積を大きくして、加飾層１２を剥がれ難くすることができ、長期に亘って加飾付観賞用植物１０を観賞することができる。
【００３３】
また、生体植物１１と加飾層１２との表面にワックス層１６を備えているので、加飾層１２表面と生体植物１１の表面との艶具合が略同じとなり、加飾層１２における透明な表面層１５が見え難くなることで、生体植物１１にあたかもインク層１４のみが施されているように見せることができ、意匠性をより高めることができる。
【００３４】
更に、生体植物１１を、外形形状がハート形をしたホヤ・カーリーの葉１３としているので、縁起が良いと言われるハート形の葉１３に、加飾することで更に意匠性を高め、贈答品やディスプレイとして用いるのに好適なものとすることができると共に、贈答品などとしての価値がより高いものとすることができる。
【００３５】
以上、本考案を実施するための最良の実施の形態を挙げて説明したが、本考案は、この実施形態に限定されるものではなく、以下に示すように、本考案の要旨を逸脱しない範囲において、種々の改良及び設計の変更が可能である。
【００３６】
すなわち、本実施形態では、インク層１４に雲母金を用いたものを示したが、これに限定するものではなく、図３（Ａ）に示すように、インク層１４に雲母銀を用いても良く、これにより、生体植物１１の葉１３の地色（緑色）に対して、インク層１４すなわち図柄が映えるようになり、意匠性を高めることができる。なお、インク層１４には、上述の雲母金や雲母銀以外の色の顔料を用いても良く、その場合、加飾層１２を密着させる生体植物１１の地色に対して映える色とすることが望ましい。
【００３７】
また、本実施形態では、生体植物１１としてホヤ・カーリーの葉１３が、単色のものを示したが、これに限定するものではなく、図３（Ｂ）に示すように、斑入りの葉１３のものを用いても良く、上記と同様の作用効果を奏することができる。
【００３８】
また、本実施形態では、加飾層１２のインク層１４が単色のものを示したが、これに限定するものではなく、インク層１４をシルク印刷による多色刷りとしても良く、これにより、より意匠性の高い図柄を形成することができる。
【００３９】
更に、本実施形態では、生体植物１１としてホヤ・カーリーの葉１３を示したが、これに限定するものではなく、例えば、その他の観賞用植物の葉や、実や種子、切り花、休眠状態の植物などとすることができると共に、加飾層１２を密着させる位置も、葉に限らず、花弁、枝、幹、根、実、種子、などに加飾しても良く、これにより、インパクトのある観賞用植物とすることができ、贈答品やディスプレイに好適に用いることができる。
【図面の簡単な説明】
【００４０】
【図１】本考案の加飾付観賞用植物の一例を示す斜視図である。
【図２】加飾工程を模式的に示す説明図である。
【図３】（Ａ）は加飾層に図１の例とは異なる色を用いた例を示す図であり、（Ｂ）は生体植物として斑入りの葉を用いた例を示す斜視図である。
【符号の説明】
【００４１】
１０  加飾付観賞用植物
１１  生体植物
１２  加飾層
１３  葉
１４  インク層
１５  表面層
１６  ワックス層
１７  培地
１８  鉢
１９  転写紙
２０  台紙
２１  剥離層
【図１】
0003109958.tif 000003
【図２】
0003109958.tif 000004
【図３】
0003109958.tif 000005